(57)【特許請求の範囲】
【請求項１】
家屋の床下又は壁内に配管した可撓性を有する給水供給管によって各水使用器具への給水を行うべく構成した可撓管を用いた給水の配管システムにおいて、
前記給水供給管の末端吐水口に継手具を接続し、前記継手具は、基端部で前記給水供給管の端部を保持すべく構成し、前記継手具の先端部に止水機能を有する止水栓を着脱自在に接続し、
家屋の床又は壁に前記給水供給管を挿通するための挿通孔を有するフランジを取付け、前記フランジに継手具を連結体を介して着脱自在に取付け、しかも、前記フランジの挿通孔と前記給水供給管との間をシール部材で閉塞するとともに、前記シール部材と前記継手具の基端部とを前記連結体で被覆して、
前記連結体の内周面と前記給水供給管の外周面と前記継手具の基端部と前記シール部材の上面とで囲まれ、前記継手具と前記給水供給管との接続部分での漏水を溜めるための漏水溜用空間を形成したことを特徴とする可撓管を用いた給水の配管システムにおける止水栓の取付構造。
【請求項２】
前記継手具を家屋の床又は壁に着脱自在に取付けたことを特徴とする請求項１記載の可撓管を用いた給水の配管システムにおける止水栓の取付構造。
【請求項３】
前記連結体は、前記漏水溜用空間に通じる漏水確認用窓を有することを特徴とする請求項１又は請求項２記載の可撓管を用いた給水の配管システムにおける止水栓の取付構造。
【請求項４】
前記継手具を左右に分離可能に構成したカバーで被覆したことを特徴とする請求項１〜請求項３のいずれかに記載の可撓管を用いた給水の配管システムにおける止水栓の取付構造。
【発明の詳細な説明】
【０００１】
【発明の属する技術分野】
本発明は、可撓管を用いた給水の配管システムにおける止水栓の取付構造に関するものである。
【０００２】
【従来の技術】
従来、住宅において用いられていた給水の配管システムは、給水供給管として鋼管等の金属管を用い、かかる金属管を接続して床下に敷設することにより構成していた。
【０００３】
このように、金属管を床下に敷設する場合には、現場で金属管の切断、接続等の煩雑な作業を必要とし、また、床下において配管の折曲が多いためエルボ管の接続箇所も多くなっていた。
【０００４】
そのため、現場での管継手作業を行うのは熟練作業が必要であり、また、現場で配管加工作業をすると、管の中に切り屑等の異物が混入するおそれがあり、また、継手やエルボ管等の接続箇所が多い分だけ接続の際の管の締め付け忘れや接着剤の塗布忘れが発生するおそれがあった。
【０００５】
かかる従来の金属管による床下配管の欠点を解消すべく、給水供給管として可撓性を有する合成樹脂管を用いた樹脂配管工法が開発されている。
【０００６】
これは、従来の継手作業や継手管の使用から派生する各種欠点、即ち、従来の金属管を用いた床下配管に伴う各種欠点を回避せんとするものである。
【０００７】
【発明が解決しようとする課題】
しかし、従来の金属管を用いた給水の配管システムでは、給水供給管の末端吐水口にネジ部を形成しており、かかるネジ部に止水栓を着脱自在に螺着することで給水供給管の末端吐水口に止水栓を強固に、かつ、取外し容易に接続することができたのに対し、可撓管を給水供給管として用いた場合には、可撓管の末端吐水口にネジ部を形成することが困難であった。
【０００８】
そのため、止水栓と給水供給管の接続を強固に行うために止水栓と給水供給管との接続部にロックリングを設けることで、一度止水栓と給水供給管とを接続した場合には、止水栓から給水供給管を取外すことができないような構造とする必要があり、かかる特有の接続形態を採る必要があるために、次のような特有の課題を有していた。
【０００９】
すなわち、家屋の建築時には、まず給水供給管の配管作業を行うとともに、給水供給管の耐圧検査を行い、その後、家屋の内装工事が終了した後に、給水供給管の末端吐水口に止水栓を装着する作業を行っていた。しかも、給水供給管の耐圧検査を行う際には、未だ給水供給管の末端吐水口に止水栓が装着されておらず、従って、給水供給管の末端吐水口を閉塞するために止水栓とは別個の止水蓋を給水供給管の末端吐水口に一時的に取り付けて耐圧検査を行い、検査後に止水蓋を取外さなければならず、耐圧検査にのみ使用される止水蓋を別途用意する必要があった。また、かかる止水蓋を給水供給管の末端吐水口に取付けた場合に所定の耐圧を確保する必要があることから、止水蓋は給水供給管の末端吐水口を強固に保持できるように止水蓋と給水供給管との接続部にロックリングを設けて、一度止水蓋と給水供給管とを接続した場合には、給水供給管から止水蓋を取外すことができないような構造にする必要があった。かかる構造では止水蓋を一時的に取り付けた後にそれを取り外すのは非常に煩雑な作業であった。
【００１０】
また、給水供給管が可撓性を有しており、しかも、床や壁に給水供給管が固定されていないため、長期間の使用によって給水供給管が床や壁から延び出てきてしまい、給水供給管の末端吐水口に取付けた止水栓が床や壁から浮き上がり、外観上好ましくなかった。
【００１１】
また、漏水発生を未然に防止すべく止水栓と給水供給管の接続を強固に行う必要があり、そのために止水栓と給水供給管との接続部にロックリングを設けることで、一度止水栓と給水供給管とを接続した場合には、止水栓から給水供給管を取外すことができないような構造とする必要がある。そのため、止水栓の止水機能を有する弁部等が故障した場合には、給水供給管を途中で切断してから改めて給水供給管の末端吐水口に止水栓を取付けなければならず、その場合には、切断した給水供給管の切れ端が付いた止水栓をそのまま破棄しなければならなかった。
【００１２】
これは、止水栓の基端部を給水供給管に挿通したカバーで被覆するように構成した場合にも、かかるカバーを装着し忘れたときに、給水供給管を途中で切断し、給水供給管にカバーを挿通してから末端吐水口に止水栓を装着しなければならず、しかも、切断した給水供給管の切れ端が付いた止水栓をそのまま破棄しなければならなかった。
【００１３】
また、仮に止水栓と給水供給管の接続部分にて漏水が発生した場合には、かかる漏水によって家屋の床や壁を直接的に汚損することのないような構造とする必要があった。
【００１４】
【課題を解決するための手段】
そこで、本発明は、家屋の床下又は壁内に配管した可撓性を有する給水供給管によって各水使用器具への給水を行うべく構成した可撓管を用いた給水の配管システムにおいて、前記給水供給管の末端吐水口に継手具を接続し、前記継手具は、基端部で前記給水供給管の端部を保持すべく構成し、前記継手具の先端部に止水機能を有する止水栓を着脱自在に接続し、家屋の床又は壁に前記給水供給管を挿通するための挿通孔を有するフランジを取付け、前記フランジに継手具を連結体を介して着脱自在に取付け、しかも、前記フランジの挿通孔と前記給水供給管との間をシール部材で閉塞するとともに、前記シール部材と前記継手具の基端部とを前記連結体で被覆して、前記連結体の内周面と前記給水供給管の外周面と前記継手具の基端部と前記シール部材の上面とで囲まれ、前記継手具と前記給水供給管との接続部分での漏水を溜めるための漏水溜用空間を形成したことを特徴とする可撓管を用いた給水の配管システムにおける止水栓の取付構造を提供するものである。
【００１５】
また、本発明は、前記継手具を家屋の床又は壁に着脱自在に取付けたこと、前記連結体は漏水溜用空間に通じる漏水確認用窓を有すること、更には、前記継手具を左右に分離可能に構成したカバーで被覆したことにも特徴を有する。
【００１６】
【発明の実施の形態】
本発明に係る給水の配管システムは、家屋の床下又は壁内に配管した可撓性を有する給水供給管によって各水使用器具への給水を行うように構成したものである。
【００１７】
そのため、配管途中での管継手作業がなくなり、施工作業に要する労力や時間を軽減することができるとともに、配管途中での漏水の発生を未然に防止することができ、漏水による家屋の汚損を防止することができるものである。
【００１８】
そして、本発明では、給水供給管の末端吐水口に継手具を接続し、同継手具の先端部に止水機能を有する止水栓を着脱自在に接続することによって、家屋の床や壁に止水栓を取付けたものであり、継手具は、基端部で可撓性を有する給水供給管の端部を強固に保持するように構成したものである。
【００１９】
このように、従来の金属管を用いた給水の配管システムでは、給水供給管の末端吐水口にネジ部を形成することができたため、かかるネジ部に止水栓を着脱自在に螺着することで給水供給管の末端吐水口に止水栓を強固に、かつ、取外し容易に接続することができたのに対し、本発明のように可撓管を給水供給管として用いた場合には、可撓管の末端吐水口にネジ部を形成することが困難であり、止水栓と給水供給管との接続部にロックリング等を設けて止水栓と給水供給管の接続を強固に行う必要がある。
【００２０】
そのために、本発明では、止水栓と継手具とを分離可能に構成し、継手具に給水供給管を強固に接続するように構成したものであり、このように止水栓と継手具とを分離可能に構成することで、施工途中においては、給水供給管に継手具を接続した後に耐圧試験を行い、施工の最終工程にて継手具に止水栓を接続すればよく、施工を円滑に行うことができるようにしたものである。
【００２１】
また、給水供給管は継手具に接続されており、止水栓に直接的に接続されているのではないため、止水栓を交換する場合には、給水供給管と継手具との接続はそのままにしておいて止水栓のみを継手具から取外して交換すればよく、従来のように強固に接続された接続部での切断作業や切断によって生じた切れ端が付いた止水栓を廃棄する必要もなくなり、止水栓の交換作業を容易に行うことができるものである。
【００２２】
特に、継手具を家屋の床又は壁に固定した場合には、継手具及び止水栓を長期間使用しても継手具及び止水栓が床や壁から浮き上がるのを防止でき、外観上良好な状態のまま保持することができる。
【００２３】
また、本発明では、家屋の床又は壁に給水供給管を挿通するための挿通孔を有するフランジを取付け、同フランジに継手具を連結体を介して着脱自在に取付け、しかも、フランジの挿通孔と給水供給管との間をシール部材で閉塞するとともに、同シール部材と継手具の基端部とを連結体で被覆し、更には、継手具を左右に分離可能に構成したカバーで被覆している。
【００２４】
そして、シール部材と継手具の基端部との間に継手具と給水供給管との接続部分での漏水を溜めるための漏水溜用空間を形成している。
【００２５】
そのため、仮に継手具と給水供給管との接続部において漏水が発生したとしても、かかる漏水を漏水溜用空間に溜めておくことができ、漏水発生と同時に家屋を直接的に汚損してしまうのを防止することができる。
【００２６】
しかも、かかる漏水溜用空間に通じる漏水確認用窓を連結体に形成しておくことによって、仮に継手具と給水供給管との接続部で漏水が発生しても、漏水確認用窓から漏水溜用空間に漏水が溜まっているか否かを視覚により確認することで漏水発生を早期発見することができ、これによっても、漏水時に家屋を直接的に汚損してしまうのを防止することができる。
【００２７】
また、継手具を左右に分離可能に構成したカバーで被覆することによって、容易にカバーを装着することができ、作業性を向上させることができるとともに、カバーを容易に取外すことができるので、漏水の有無を確認する際にも容易な作業で行うことができる。しかも、カバーに継手具や給水供給管を挿通させていないため、カバーを装着し忘れても後から容易にカバーを装着することができる。
【００２８】
【実施例】
以下に、本発明の実施例について図面を参照しながら具体的に説明する。
【００２９】
図１及び図２は、給水の配管システム１を示した図であり、同配管システム１は、屋外に敷設された水道管２に配水盤３を接続し、同配水盤３に配水管４を連通連結し、同配水管４を中途で分岐させて、一方の配水管4aには給湯機５を介して分水盤６を接続し、他方の配水管4bには分水盤６を直接接続し、更には、分水盤６にて複数の流路に分岐させて台所用湯水混合栓７、浴室用湯水混合栓８、洗濯機68、洗面化粧台用湯水混合栓11、トイレ10,12等に給水供給管13とカップリング盤1 4,14'と連結管77とを介して接続している。配水盤３と分水盤６及び分水盤６とカップリング盤14,14'とを連通連結する給水管としての配水管４及び給水供給管13には、架橋ポリエチレンやポリブテン等の可撓性を有する合成樹脂管を用いている。
【００３０】
そして、配管システム１は、水道管２から供給される水道水を配水盤３にて一定の水圧に減圧した後に、一部を給湯機５で加熱して分水盤６に供給し、分水盤６にて複数の流路に分岐させて、台所用湯水混合栓７、浴室用湯水混合栓８等の水使用器具に供給するようにしている。
【００３１】
尚、本実施例では、配管システム１に供給する給水として水道水を用いた場合を示しているが、水道水に限らず浄化した浄水や中水等を給水として用いることもできる。
【００３２】
次に、配管システム１の各部の構成について詳細に説明する。
【００３３】
（配水盤）
配水盤３は、水使用器具に供給する水の状態、例えば、水質や水圧等を集中的に管理するものであり、ケーシングの内部に水中の異物を除去したり水を浄化して水質を改善するためのフィルター18や水圧を調節する減圧弁19等の機能部品を収容することで、水質や水圧等の管理を容易なものとすることができる。
【００３４】
具体的には、配水盤３は、図３に示すように、家屋15の基礎65の外側面に取付けており、矩形箱型状の配水盤ケーシング16の内部に開閉バルブ17とフィルター18と減圧弁19とを収容している。そして、配水盤３は、配水盤ケーシング16の内側左端部において水道管２と開閉バルブ17とを連通連結し、同開閉バルブ17にフィルター18を連通連結し、同フィルター18に減圧弁19を連通連結し、同減圧弁19に配水管４の始端部を連通連結し、更には、配水盤ケーシング16の内側右端部において配水管４を分岐させ、一方の配水管4aには配水盤３の右側方に配設した給湯機５を接続し、他方の配水管4bには分水盤６を直接接続している。尚、配水管4a,4bは、基礎65に形成して切欠部65aから家屋15の内部に配管している。
【００３５】
そして、配水盤３は、開閉バルブ17を閉じることによって、水道管２から分水盤６やカップリング盤14を介して台所用湯水混合栓７や浴室用湯水混合栓８等の各水栓への水道水の供給を遮断し、一方、開閉バルブ17を開くことによって、フィルター18で水道管２から供給される水道水に含まれる不純物を除去した後、減圧弁19で一定の水圧（0.4MPa以下、好ましくは0.3MPa以下）に減圧して、各水栓に一定の水圧で水道水を供給するようにしている。
【００３６】
本実施例では、配水盤ケーシング16は、矩形箱型状のケーシング本体20の前側部に左右一対の開閉扉21,21を開閉自在に取付けて水密状に形成しており、同開閉扉21,21を開いて配水盤ケーシング16の内部の開閉バルブ17やフィルター18や減圧弁19を容易に点検・補修できるようにしている。
【００３７】
しかも、水道管２と開閉バルブ17との継手部や、開閉バルブ17とフィルター18との継手部や、フィルター18と減圧弁19との継手部や、減圧弁19と配水管４との継手部といった各継手部を水密状に形成した配水盤ケーシング16の内部に収容しているため、仮に継手部において漏水が発生した場合であっても、その漏水が配水盤ケーシング16の内部に溜まり、従って、漏水によって直ちに家屋15の基礎65等が汚損するのを防止できるようにしている。
【００３８】
（分水盤）
分水盤6は、水道水を各種の水使用器具それぞれに分岐供給するものであり、各種の水使用器具へそれぞれ配管する給水供給管13の始端部を一箇所に集中合流した合流部として機能するヘッダーをケーシングの内部に集中して配設したものである。
【００３９】
具体的には、分水盤６は、家屋15の一階天井裏部（二階床下部）に配設しており、図４に示すように、矩形箱型状の分水盤ケーシング22の内部に円筒状の給水ヘッダー23と給湯ヘッダー24とを前後に間隔を開けて平行に配設しており、給水ヘッダー23には、配水盤３に連通連結した配水管4bが直接接続されて水道水が供給され、給湯ヘッダー24には、配水盤３に給湯機５を介して連通連結した配水管4aが接続されて給湯機５で加熱された水道水が供給されている。図中、25はヘッダー吊下具である。
【００４０】
給水ヘッダー23及び給湯ヘッダー24の周壁には、複数の分岐端管26を一定間隔を保持して分岐突設し、各分岐端管26に給水供給管13の始端部を接続している。尚、未使用の分岐端管26には止水蓋27を取付けている。
【００４１】
かかる給水ヘッダー23及び給湯ヘッダー24は、水道管２を配水盤３及び配水管４を介して接続しており、居住空間内に配設した各種の水使用器具へそれぞれ配管する給水供給管13の始端部を一箇所に集中合流した合流部として機能するものである。
【００４２】
また、分水盤６は、分水盤ケーシング22の側壁28に複数の挿通孔29を左右に間隔を開けて穿設し、各挿通孔29に樹脂製の鞘管30の端部を密封状に連通している。分岐端管26に接続した給水供給管13は、挿通孔29を貫通して、鞘管30の内部に挿通される。尚、未使用の挿通孔29には、閉塞蓋29aを取付けている。
【００４３】
本実施例では、配水管4aと給湯ヘッダー24との継手部や、配水管4bと給水ヘッダー23との継手部や、両ヘッダー23,24の分岐端管26と給水供給管13との継手部といった各継手部を水密状に形成した分水盤ケーシング22の内部に収容しているため、仮に継手部において漏水が発生した場合であっても、その漏水が分水盤ケーシング22の内部に溜まり、従って、漏水によって直ちに家屋15の内部が汚損するのを防止できるようにしている。
【００４４】
かかる分水盤６は、図５に示すように、家屋15の二階床下部（一階天井裏部）に分水盤ケーシング22を収容しており、同分水盤ケーシング22は、矩形箱型状のケーシング本体22aの上方開口部に開閉扉22bを開閉自在に取付けて水密状に形成しており、二階室内において開閉扉22bを開いて分水盤ケーシング22の内部のヘッダー23,24を容易に点検・補修できるようにしている。
【００４５】
（カップリング盤）
一階用及び二階用のカップリング盤14は、図６及び図７に示すように、家屋の床34から突出させており、止水機能を有する止水栓35を具備した構成となっている。
【００４６】
かかるカップリング盤14の構造を図８及び図９に基づいて施工作業順に説明すると、まず、床34に貫通孔36を穿設し、同貫通孔36にフランジ37を取り付ける。かかるフランジ37には、給水供給管13を挿通するための挿通孔38が形成してある。図中、39はパッキン、40は固定用のバインドタッピンネジである。
【００４７】
次に、フランジ37の挿通孔38に給水供給管13を挿通するとともに、挿通孔38と給水供給管13との間隙をシール部材としてのパッキン41とブッシュ42とで閉塞する。さらに、給水供給管13の終端部である末端吐水口43に円筒状のインコア44を挿入した後に、末端吐水口43に継手具45を接続する。
【００４８】
かかる継手具45は、筒状の継手本体46の基端部に筒状の押輪47を螺着しており、継手本体46と押輪47との間には、図10に示すように、平板状のリング48の内側縁部に三角形状の突起49を先端部を上方に折曲して連設したロックリング50を２枚介設している。図中、51はスペーサーリング、71はＯリングである。
【００４９】
そして、継手具45の基端部に給水供給管13の末端吐水口43を挿入すると、給水供給管13の外周部にロックリング50の突起49の先端部が刺さり、これにより、継手具45と給水供給管13とが強固に接続され、継手具45から給水供給管13を引っ張っても給水供給管13が抜けないようにしている。
【００５０】
次に、継手具45を連結体52の挿通孔53に挿通して、継手具45の基端部を連結体52の先端部で被覆するとともに、継手具45の基端部と連結体52とを平面視で略Ｃ字状のクランプ54で連結し、さらには、クランプ54の基端部とフランジ37とでパッキン41とブッシュ42とを挟み込んだ状態でクランプ54の基端部をフランジ37に螺着する。
【００５１】
連結体52の内部には、連結体52の内周面と給水供給管13の外周面と継手具45の基端部とパッキン41の上面とで囲まれた環状の空間、すなわち、継手具45と給水供給管13との接続部分での漏水を溜めるための漏水溜用空間69が形成され、しかも、連結体52には、漏水溜用空間69に通じる横長スリット状の漏水確認用窓70が形成されている。
【００５２】
この状態で、給水供給管13の末端吐水口43に接続した継手具45は連結体52とフランジ37とを介して床34に固定される。
【００５３】
そして、上記までの施工作業を行った後に、継手具45の先端部に止水蓋を後述するクイックファスナー55を用いて接続して、配管の耐圧試験を行う。
【００５４】
その後、継手具45の先端部から止水蓋を取外し、その代わりに継手具45の先端部に止水機能を有する止水栓35の基端部を挿入接続する。図中、56は止水弁、57は弁座パッキン、58はスピンドル、59はキャップナットである。
【００５５】
継手具45と止水栓35とは、継手具45の先端部に鍔60を形成するとともに、止水栓35の基端部に鍔61を形成し、両鍔60,61を重合させた状態でクイックファスナー55を装着して、同クイックファスナー55に形成したスリット62で両鍔60,61を挟持することによって着脱自在に接続している。
【００５６】
最後に、左右に分離可能に構成した略円錘状のカバー63によって継手具45と連結体52とフランジ37とを被覆する。
【００５７】
かかるカバー63は、左側カバー構成体63Lと右側カバー構成体63Rとから構成しており、各カバー構成体63L,63Rの内周面には係止鍔66を形成しており、カバー63を装着した際に係止鍔66が連結体52の外周に形成した係止鍔67に係止して、カバー63が上方に抜けないようにしている。
【００５８】
給水の配管システム１は、上記のように構成しており、家屋15の床下又は壁内に配管した可撓性を有する給水供給管13によって各水使用器具への給水を行っているため、配管途中での管継作業がなくなり、施工作業に要する労力や時間を軽減することができるとともに、配管途中での漏水の発生を未然防止することができ、漏水による家屋の汚損を防止することができる。
【００５９】
しかも、本実施例では、給水供給管13の末端吐水口43に継手具45を接続し、同継手具45の先端部に止水機能を有する止水栓35を着脱自在に接続することによって、家屋15の床や壁に止水栓35を取付けたものであり、継手具45は、基端部で可撓性を有する給水供給管13の端部を強固に保持するように構成している。
【００６０】
このように、止水栓35と継手具45とを分離可能に構成することで、施工途中においては、給水供給管13に継手具45を接続した後に耐圧試験を行い、施工の最終工程にて継手具45に止水栓35を接続すればよく、施工を円滑に行うことができる。具体的には、給水供給管13に継手具45を接続した後でも、フランジ37、ブッシュ42、パッキン41、連結体52を順次組み合わせることができる。しかも、家屋15の建築途中では、給水供給管13に継手具45を接続しておけば耐圧試験が行えるので、継手具45に止水栓35を接続したり、継手具45及び止水栓35を連結体52等を用いて家屋15の壁や床等に装着しておかなくてもよく、従って、家屋15の建築の他の施工との干渉がなくなり、施工性を向上させることができる。
【００６１】
また、給水供給管13は継手具45に接続されており、止水栓35に直接的に接続されているのではないため、止水栓35を交換する場合には、給水供給管13と継手具45との接続はそのままにしておいて止水栓35のみを継手具45から取外して交換すればよく、従来のように強固に接続された接続部での切断作業や切断によって生じた切れ端が付いた止水栓を廃棄する必要もなくなり、止水栓35の交換作業を容易に行うことができる。
【００６２】
特に、継手具45を家屋15の床又は壁に固定しているため、継手具45及び止水栓35を長期間使用しても継手具45及び止水栓35が床や壁から浮き上がるのを防止でき、外観上良好な状態のまま保持することができる。
【００６３】
また、本実施例では、家屋15の床又は壁に給水供給管13を挿通するための挿通孔38を有するフランジ37を取付け、同フランジ37に継手具45を連結体52を介して着脱自在に取付け、しかも、フランジ37の挿通孔38と給水供給管13との間をシール部材で閉塞するとともに、同シール部材と継手具45の基端部とを連結体52で被覆し、更には、継手具45を左右に分離可能に構成したカバー63で被覆している。
【００６４】
そして、シール部材と継手具45の基端部との間に継手具45と給水供給管13との接続部分での漏水を溜めるための漏水溜用空間69を形成しているため、仮に継手具45と給水供給管13との接続部において漏水が発生したとしても、かかる漏水を漏水溜用空間69に溜めておくことができ、漏水発生と同時に家屋15を直接的に汚損してしまうのを防止することができる。
【００６５】
しかも、かかる漏水溜用空間69に通じる漏水確認用窓70を連結体52に形成しておくことによって、仮に継手具45と給水供給管13との接続部で漏水が発生しても、漏水確認用窓70から漏水溜用空間69に漏水が溜まっているか否かを視覚により確認することで漏水発生を早期発見することができ、これによっても、漏水時に家屋15を直接的に汚損してしまうのを防止することができる。
【００６６】
また、継手具45を左右に分離可能に構成したカバー63で被覆することによって、容易にカバー63を装着することができ、作業性を向上させることができるとともに、カバー63を容易に取外すことができるので、漏水の有無を確認する際にも容易な作業で行うことができる。しかも、カバー63に継手具45や給水供給管13を挿通させていないため、カバー63を装着し忘れても後から容易にカバー63を装着することができる。
【００６７】
【発明の効果】
本発明は、以上に説明したような形態で実施され、以下に記載されるような効果を奏する。
【００６８】
請求項１に係る本発明では、家屋の床下又は壁内に配管した可撓性を有する給水供給管によって各水使用器具への給水を行うように構成しているため、配管途中での管継作業がなくなり、施工作業に要する労力や時間を軽減することができるとともに、配管途中での漏水の発生を未然に防止することができ、漏水による家屋の汚損を防止することができる。
【００６９】
しかも、止水栓と継手具とを分離可能に構成し、継手具に給水供給管を強固に接続するように構成しているため、施工途中においては、給水供給管に継手具を接続した後に耐圧試験を行い、施工の最終工程にて継手具に止水栓を接続すればよく、施工を円滑に行うことができる。また、給水供給管は継手具に接続されており、止水栓に直接的に接続されているのではないため、止水栓を交換する場合には、給水供給管と継手具との接続はそのままにしておいて止水栓のみを継手具から取外して交換すればよく、従来のように強固に接続された接続部での切断作業や切断によって生じた切れ端が付いた止水栓を廃棄する必要もなくなり、止水栓の交換作業を容易に行うことができる。
【００７０】
また、請求項１に係る本発明では、家屋の床又は壁に給水供給管を挿通するための挿通孔を有するフランジを取付け、前記フランジに継手具を連結体を介して着脱自在に取付け、しかも、前記フランジの挿通孔と前記給水供給管との間をシール部材で閉塞するとともに、前記シール部材と前記継手具の基端部とを前記連結体で被覆して、前記連結体の内周面と前記給水供給管の外周面と前記継手具の基端部と前記シール部材の上面とで囲まれ、前記継手具と前記給水供給管との接続部分での漏水を溜めるための漏水溜用空間を形成しているため、仮に継手具と給水供給管との接続部において漏水が発生したとしても、かかる漏水を漏水溜用空間に溜めておくことができ、漏水発生と同時に家屋を直接的に汚損してしまうのを防止することができる。
【００７１】
請求項２に係る本発明では、継手具を家屋の床又は壁に固定しているため、継手具及び止水栓を長期間使用しても継手具及び止水栓が床や壁から浮き上がるのを防止でき、外観上良好な状態のまま保持することができる。
【００７２】
請求項３に係る本発明では、漏水溜用空間に通じる漏水確認用窓を連結体に形成しているため、仮に継手具と給水供給管との接続部で漏水が発生しても、漏水確認用窓から漏水溜用空間に漏水が溜まっているか否かを視覚により確認することで漏水発生を早期発見することができ、これによっても、漏水時に家屋を直接的に汚損してしまうのを防止することができる。
【００７３】
請求項４に係る本発明では、継手具を左右に分離可能に構成したカバーで被覆することによって、容易にカバーを装着することができ、作業性を向上させることができるとともに、カバーを容易に取外すことができるので、漏水の有無を確認する際にも容易な作業で行うことができ、しかも、カバーに継手具や給水供給管を挿通させていないため、カバーを装着し忘れても後から容易にカバーを装着することができる。
【図面の簡単な説明】
【図１】本発明に係る給水の配管システムを示す説明図。
【図２】本発明に係る給水の配管システムを模式的に示す説明図。
【図３】配水盤を示す斜視図。
【図４】分水盤の内部構造を示す斜視図。
【図５】分水盤を示す斜視図。
【図６】トイレ用のカップリング盤を示す側面図。
【図７】同正面図。
【図８】止水栓と取付け構造を示す分解斜視図。
【図９】同断面側面図。
【図１０】ロックリングを示す斜視図。
【符号の説明】
１  配管システム
２  水道管
３  配水盤
４  配水管
５  給湯機
６  分水盤
13  給水供給管
14  カップリング盤
16  配水盤ケーシング
17  開閉バルブ
18  フィルター
19  減圧弁
22  分水盤ケーシング
23  給水ヘッダー
24  給湯ヘッダー
35  止水栓
37  フランジ
43  末端吐水口
45  継手具
50  ロックリング
63  カバー
69  漏水溜用空間
70  漏水確認用窓
【図１】
0004193354.tif 000002
【図２】
0004193354.tif 000003
【図３】
0004193354.tif 000004
【図４】
0004193354.tif 000005
【図５】
0004193354.tif 000006
【図６】
0004193354.tif 000007
【図７】
0004193354.tif 000008
【図８】
0004193354.tif 000009
【図９】
0004193354.tif 000010
【図１０】
0004193354.tif 000011